(57)【要約】【課題】  生餌に代えて疑似餌を用いるルアーフィッシングにおいて、釣り場の水の状態、水深、天候、時間帯等の条件により、外皮の色彩で成果が大きく異なる。そこで、同一タイプで色彩が異なる疑似餌を揃える必要がなく、色彩が異なるものに簡単に交換可能な疑似餌を提案する。【解決手段】  疑似餌本体１の外皮の展開形状に適合したシート状の外皮シート２を、色彩が異なる数種類形成し、外皮シート２を疑似餌本体１に被着自在且つ取替自在とする。【選択図】  図２
2011193817.tif 000002
【特許請求の範囲】
【請求項１】
疑似餌本体１の外皮の展開形状に適合したシート状の外皮シート２を、色彩が異なる数種類形成し、外皮シート２を疑似餌本体１に被着自在且つ取替自在とした疑似餌。
【請求項２】
疑似餌本体１に特定の色彩の外皮を形成し、これと異なる色彩の外皮シート２を数種類形成した請求項１に記載の疑似餌。
【請求項３】
疑似餌本体１には外皮を形成せず、外皮シート２を選択して被着し、外皮を形成する請求項１に記載の疑似餌。
【請求項４】
外皮シート２をミクロ吸盤シートで形成した請求項１、２又は３に記載の疑似餌。
【発明の詳細な説明】
【技術分野】
【０００１】
この発明は、ルアーフィッシングで使用する疑似餌（ルアー）に関するものである。
【背景技術】
【０００２】
生餌に代えて疑似餌を用いるルアーフィッシングにおいて、対象である魚に応じた様々な材質、形状、サイズの疑似餌が提供されている。材質としては、成形性、量産性に優れ、製作コストが安価な樹脂製のものが多く用いられ、硬質樹脂を素材としたハードタイプの他、塩ビ等の軟質樹脂を素材とし、感触をより生餌に近づけたソフトタイプのものもある。これらの素材で生餌に似せて疑似餌本体を魚形状に成形し、これを塗装して外皮を形成した疑似餌が製作されている。そして、魚へのアピール度を高めるために、外皮は光沢に富んだクリア塗装が施され、特許文献１に示すように、カラー蓄光塗料で塗装したものや、特許文献２に示すように、疑似餌本体内に発光体を備えた光る疑似餌も提案されている。
【先行技術文献】
【特許文献】
【０００３】
【特許文献１】特開２００２−３６０１２６号公報
【特許文献２】特開２００８−９２８６４号公報
【発明の概要】
【発明が解決しようとする課題】
【０００４】
一方、釣り場の水の状態、水深、天候、時間帯等の条件により、外皮の色彩で成果が大きく異なることが知られている。そのため、疑似餌本体は同じ材質、形状でありながら、グレー、グリーン、オレンジ、ピンク等の外皮の色彩が異なる疑似餌が販売され、同一タイプで色彩が異なるものを数タイプ用意するには、多数の疑似餌を揃える必要があった。また、成果が得られずに色彩が異なる疑似餌に交換するには、希望する色彩の疑似餌を新たにラインに装着しなければならず、交換作業も煩雑であった。
【０００５】
この発明は、これらの課題を解決することを目的とするもので、同一タイプで色彩が異なる疑似餌を揃える必要がなく、色彩が異なるものに簡単に交換可能な疑似餌を提案することを目的とするものである。
【課題を解決するための手段】
【０００６】
上記の目的を達成するため、この発明の疑似餌は、疑似餌本体１の外皮の展開形状に適合したシート状の外皮シート２を、色彩が異なる数種類形成し、外皮シート２を疑似餌本体１に被着自在且つ取替自在とするものである。
【０００７】
また、疑似餌本体１に特定の色彩の外皮を形成し、これと異なる色彩の外皮シート２を数種類形成するものである。又は、疑似餌本体１には外皮を形成せず、外皮シート２を選択して被着し、外皮を形成するものである。
【０００８】
また、外皮シート２をミクロ吸盤シートで形成するものである。
【発明の効果】
【０００９】
この発明の疑似餌は、色彩が異なる数種類の外皮シート２を、疑似餌本体１に被着自在且つ取替自在としたので、釣り場の水の状態、水深、天候、時間帯等の条件に応じて外皮シート２を選択し、疑似餌本体１に被着して外皮の色彩を変更し、色彩が異なるものに簡単に交換することができる。
【００１０】
また、同一タイプで色彩が異なる疑似餌を揃える必要がなく、疑似餌本体１をラインに装着したまま外皮シート２を被着するだけであるから、成果が得られない場合に色彩が異なるものへの交換作業も容易である。
【００１１】
また、疑似餌本体１に特定の色彩の外皮を形成し、これと異なる色彩の外皮シート２を数種類形成して組み合わせ、又は、疑似餌本体１に特定の外皮を形成せず、選択した外皮シート２で外皮を形成するように、数種類の外皮シート２を組み合わせて商品化、販売することができる。さらに、疑似餌本体１とは別に、これに適合する外皮シート２のみを商品化することもでき、様々な商品展開が可能である。
【００１２】
また、外皮シート２をミクロ吸盤シートで形成すれば、外皮シート２を簡単に被着且つ剥離することができ、剥がした後に糊残りもなく、再使用で被着力の低下もない。したがって、この発明の外皮シート２の形成手段として極めて効適である。
【図面の簡単な説明】
【００１３】
【図１】この発明の第１実施例で、疑似餌本体の正面図。
【図２】数種類の外皮シートの表面図。
【図３】数種類の外皮シートを被着した疑似餌本体の正面図。
【図４】この発明の第２実施例で、疑似餌本体の正面図。
【図５】数種類の外皮シートの表面図。
【図６】ミクロ吸盤シートの説明のための斜視図。
【発明を実施するための形態】
【００１４】
以下にこの発明の実施形態について、図面を用いて具体的に説明する。
【実施例１】
【００１５】
図１から３は、この発明の第１実施例である。図１に示すように、疑似餌本体１は軽量樹脂にて魚形状に成形され、前端にラインアイ１１、前方にウエイト１２、後端に針１３が設けられている。疑似餌本体１の外皮は、生餌に似せて背から腹へと階調を施した特定の色彩（グレーとする）で塗装されている。
【００１６】
図２に、この疑似餌本体１と組み合わせる外皮シート２を示す。外皮シート２は、疑似餌本体１の外皮の展開形状に適合したシート状に形成され、色彩が異なる３種類形成され、図において上からグリーン、オレンジ、ピンクで塗装（又は印刷）した外皮シート２を示す。なお、色彩の相違を異なる種類のハッチングで示している。図に示すように、疑似餌本体１の外皮と同様に、各色彩も背から腹へと階調が施されている。
【００１７】
図３に、各外皮シート２を被着した疑似餌本体１を示す。グレーの外皮の疑似餌本体１で成果が得られない場合や、釣り場の水の状態、水深、天候、時間帯等の条件に応じて外皮の色彩をグレーから変更する場合、希望する色彩の外皮シート２を選択して疑似餌本体１に被着する。図において上からグリーン、オレンジ、ピンクの外皮シート２を被着した疑似餌本体１を示す。この被着作業は、疑似餌本体１をラインに装着したまま行うことができる。
【実施例２】
【００１８】
図４、５は、この発明の第２実施例である。図４に示すように、疑似餌本体１は、前例と同様に魚形状に成形され、無塗装又は簡易仕上げとして特別な塗装が施されず、外皮は形成されていない。図５に示すように、この疑似餌本体１と組み合わせる外皮シート２は、色彩が異なる４種類形成され、図において上からグレー、グリーン、オレンジ、ピンクで塗装（又は印刷）した外皮シート２を示す。
【００１９】
この疑似餌は、釣り場の水の状態、水深、天候、時間帯等の条件に応じて外皮シート２を選択し、疑似餌本体１に被着して希望の色彩の外皮を形成する。成果が得られない場合に外皮の色彩を変更する場合、希望する色彩の外皮シート２に取り替えて疑似餌本体１に被着する。この被着作業は、疑似餌本体１をラインに装着したまま行うことができる。
【００２０】
次に、この発明の外皮シート２の被着方法について説明する。接着剤や粘着剤等の糊を用いない方法として、外皮シート２をミクロ吸盤シートで形成する手段が効適であり、図６に、こうして形成した外皮シート２の模式図を示す。図において、外皮シート２は、表面に所定の色彩で外皮の模様が塗装（又は印刷）された外皮形成層２１の下層に、ミクロ吸盤層２２を設けて形成されている。ミクロ吸盤層２２は、無数の微細気泡２３を内包し、その表面（被着面）に無数の微細窪み２４を形成した薄膜柔軟層である。剥離紙２５を剥がして外皮シート２を被着体である疑似餌本体１に押し付ければ、各微細窪み２４から空気が抜けて吸盤として機能し、外皮シート２が疑似餌本体１に被着される。ミクロ吸盤シートは、簡単に被着且つ剥離することができ、剥がした後に糊残りもなく、再使用で被着力の低下もなく、この発明の外皮シート２の形成手段として効適である。なお、ミクロ吸盤層２２は被着面にも印刷可能であり、所定の色彩で外皮の模様を被着面に印刷し、ミクロ吸盤層２２の上層にクリア保護層を設けて外皮シート２を形成することもできる。
【００２１】
糊によらない他の方法としては、外皮シート２の側縁部にファスナーを形成し、疑似餌本体１に被覆した外皮シート２の側縁部をファスニングする線ファスナー手段、雌雄のフックで掛け止めするフック止め手段、一対の面ファスナーで掛け止めする面ファスナー手段を用いることもできる。また、外皮シート２を疑似餌本体１に被覆し、外皮シート２の側縁部を突き合わせ、上から透明テープで貼着する手段も簡単で、外皮シート２の取替も容易である。塗布又は裏面をシールとするなど、接着剤や粘着剤等の糊を用いる場合は、接着強度が比較的弱くて剥離可能な弱粘着性のものを選択する。これらの外皮シート２の被着手段は、疑似餌本体１の材質、形状、サイズや外皮シート２に求められる強度、コスト等の条件に応じて選択、決定する。
【００２２】
以上のように、この発明は、疑似餌本体１の形状が外皮シートを形成可能であれば、材質、サイズ、ハードタイプ、ソフトタイプを問わずに適用することができる。また、外皮シートは、光沢クリア仕上げ、蛍光塗料や蓄光塗料等による各種塗装、印刷により形成することができ、色彩とともに異なる模様を施してもよく、疑似餌本体１内に発光体を備えた光る疑似餌にも適用可能である。
【符号の説明】
【００２３】
１  疑似餌本体
２  外皮シート
【図１】
2011193817.tif 000003
【図２】
2011193817.tif 000004
【図３】
2011193817.tif 000005
【図４】
2011193817.tif 000006
【図５】
2011193817.tif 000007
【図６】
2011193817.tif 000008